(57)【要約】【課題】  写真フィルムと搬送ローラの間に生じる搬送スリップを検出するにあたり、不意に画像読み取りの停止をさせることのないフィルム画像読取装置を提供すること。【解決手段】  現像済み写真フィルムを搬送ローラにより搬送させ、写真フィルムを走査することにより写真フィルムに形成されたコマ画像を読み取るためのフィルム画像読取装置であって、写真フィルムと搬送ローラ２４の間に生じる搬送スリップを検出するスリップ検出手段５１と、このスリップ検出手段５１により検出されたスリップ量が第１レベル又は第１レベルよりもスリップ量が大きく設定された第２レベルを超えたか否かを判定する判定手段５２と、第１レベルを超えた場合はモニター３１に搬送ローラ２４のメンテナンスを促す表示をして、第２レベルを超えた場合は、写真フィルムの搬送を停止させる処理実行手段５５とを備えた。【選択図】    図３
2005051537.tif 000002
【特許請求の範囲】
【請求項１】
現像済み写真フィルムを搬送ローラにより搬送させ、写真フィルムを走査することにより写真フィルムに形成されたコマ画像を読み取るためのフィルム画像読取装置であって、
写真フィルムと前記搬送ローラの間に生じる搬送スリップを検出するスリップ検出手段と、
このスリップ検出手段により検出されたスリップ量が第１レベル又は第１レベルよりもスリップ量が大きく設定された第２レベルを超えたか否かを判定する判定手段と、
前記第１レベルを超えた場合は第１の処理を実行し、前記第２レベルを超えた場合は、前記第１の処理とは異なる第２の処理を実行する処理実行手段とを備えたことを特徴とするフィルム画像読取装置。
【請求項２】
現像済み写真フィルムを搬送ローラにより搬送させ、写真フィルムを走査することにより写真フィルムに形成されたコマ画像を読み取るためのフィルム画像読取装置であって、
写真フィルムと前記搬送ローラの間に生じる搬送スリップを検出するスリップ検出手段と、
このスリップ検出手段により検出されたスリップ量が所定レベルを超えたか否かを判定する判定手段と、
前記所定レベルを超えた場合は第１の処理を実行し、前記所定レベルを超えた回数が予め設定した回数を超えた場合には、前記第１の処理とは異なる第２の処理を実行する処理実行手段とを備えたことを特徴とするフィルム画像読取装置。
【請求項３】
前記第１の処理は、警告表示手段による警告表示であり、前記第２の処理は写真フィルムの搬送停止であることを特徴とする請求項１又は２に記載のフィルム画像読取装置。
【請求項４】
前記スリップ検出手段は、パーフォレーション検出センサーにより検出される写真フィルムのパーフォレーション数と、搬送ローラを駆動する駆動モータの駆動パルス数に基づいて前記搬送スリップを検出することを特徴とする請求項１〜３のいずれか１項に記載のフィルム画像読取装置。 
【請求項５】
写真フィルムを搬送ローラにより搬送させるフィルム搬送装置であって、
写真フィルムと前記搬送ローラの間に生じる搬送スリップを検出するスリップ検出手段と、
このスリップ検出手段により検出されたスリップ量が第１レベル又は第１レベルよりもスリップ量が大きく設定された第２レベルを超えたか否かを判定する判定手段と、
前記第１レベルを超えた場合は第１の処理を実行し、前記第２レベルを超えた場合は、前記第１の処理とは異なる第２の処理を実行する処理実行手段とを備えたことを特徴とするフィルム搬送装置。
【請求項６】
写真フィルムを搬送ローラにより搬送させるフィルム搬送装置であって、
写真フィルムと前記搬送ローラの間に生じる搬送スリップを検出するスリップ検出手段と、
このスリップ検出手段により検出されたスリップ量が所定レベルを超えたか否かを判定する判定手段と、
前記所定レベルを超えた場合は第１の処理を実行し、前記所定レベルを超えた回数が予め設定した回数を超えた場合には、前記第１の処理とは異なる第２の処理を実行する処理実行手段とを備えたことを特徴とするフィルム搬送装置。
【発明の詳細な説明】
【技術分野】
【０００１】
本発明は、現像済み写真フィルムを搬送ローラにより搬送させ、写真フィルムを走査することにより写真フィルムに形成されたコマ画像を読み取るためのフィルム画像読取装置やその他のフィルム搬送装置に関するものである。
【背景技術】
【０００２】
かかるフィルム画像読取装置は、現像済みネガフィルム（写真フィルム）に形成されたコマ画像を読み取りデジタルデータ化するために用いられている。この装置は、搬送経路に沿って複数の搬送ローラが設けられており、駆動モータにより駆動される。写真フィルムは、搬送ローラにより所定速度で搬送される。写真フィルムの搬送面の一方の側に読み取り用光源が配置され、他方の側にＣＣＤラインセンサー（読取センサー）が配置される。フィルム画像読取装置には、スリット状の開口部が設けられており、ラインセンサーにより写真フィルムをスキャニングすることでコマ画像のデータを取得する。ここで写真フィルムの画像を精度よく取得するためには、搬送ローラによる搬送が安定して行われなければならない。すなわち、 搬送ローラによる速度ムラを極力少なくしなければならない。しかし、写真フィルムの搬送を長期間行っていると、搬送ローラに汚れが生じてくるため、搬送ローラと写真フィルムの間にスリップが生じてくる。このスリップの量が大きくなると、画像の読み取り精度が低下するため、搬送ローラの清掃等のメンテナンスを行わなければならない。
【０００３】
これに関連する先行技術として、下記特許文献１に開示されるフィルムスキャナの異常搬送検出装置が知られている。 この装置は、写真フィルムを搬送するローラの回転速度を検出する速度検出手段と、検出された回転速度の変化に基づいてフィルムの搬送状態の異常を検出する異常検出手段とを備えている。
【特許文献１】特開平７−２４４３１１号公報（特許請求の範囲、段落００３９）
【発明の開示】
【発明が解決しようとする課題】
【０００４】
上記先行技術では、異常を検出した場合は、自動的にモータを停止させるようにしている。しかしながら、写真フィルムのスキャニングを行っている最中にモータを急に停止させてしまうと、予期しない画像読み取りの中断により、オペレータが行っている写真処理作業が予定通りできなくなり、ひいては写真処理効率を低下させてしまう可能性がある。
【０００５】
本発明は上記実情に鑑みてなされたものであり、その課題は、写真フィルムと搬送ローラの間に生じる搬送スリップを検出するにあたり、不意に画像読み取り等の処理の停止をさせることのないフィルム画像読取装置及びフィルム搬送装置を提供することである。 
【課題を解決するための手段】
【０００６】
上記課題を解決するため本発明に係るフィルム画像読取装置は、
現像済み写真フィルムを搬送ローラにより搬送させ、写真フィルムを走査することにより写真フィルムに形成されたコマ画像を読み取るためのフィルム画像読取装置であって、
写真フィルムと前記搬送ローラの間に生じる搬送スリップを検出するスリップ検出手段と、
このスリップ検出手段により検出されたスリップ量が第１レベル又は第１レベルよりもスリップ量が大きく設定された第２レベルを超えたか否かを判定する判定手段と、
前記第１レベルを超えた場合は第１の処理を実行し、前記第２レベルを超えた場合は、前記第１の処理とは異なる第２の処理を実行する処理実行手段とを備えたことを特徴とするものである。
【０００７】
この構成によるフィルム画像読取装置の作用・効果は、以下の通りである。写真フィルムを搬送は搬送ローラにより行われ、この搬送ローラと写真フィルムの間に生じる搬送スリップを検出するスリップ検出手段を備えている。判定手段は、このスリップ検出手段により検出されるスリップ量が第１レベルを超えたか否か、第１レベルよりもスリップ量が大きく設定された第２レベルを超えたか否かを判定する機能を有する。そして、処理実行手段は、スリップ量が第１レベルを超えた場合は第１の処理を実行し、第２レベルを超えた場合は第２の処理を実行する。例えば、第１レベルを超えた場合は、単なる警告にとどめ、第２レベルを超えた場合は、フィルムの搬送を停止させるようにする。したがって、第１レベルのスリップ量が検出された場合でも直ちにフィルムを停止させる処理を行う必要がなく、オペレータにメンテナンスを促すように作用させることができる。その結果、写真フィルムと搬送ローラの間に生じる搬送スリップを検出するにあたり、不意に画像読み取りの停止をさせることのないフィルム画像読取装置を提供することができる。
【０００８】
上記課題を解決するため本発明に係る別のフィルム画像読取装置は、
現像済み写真フィルムを搬送ローラにより搬送させ、写真フィルムを走査することにより写真フィルムに形成されたコマ画像を読み取るためのフィルム画像読取装置であって、
写真フィルムと前記搬送ローラの間に生じる搬送スリップを検出するスリップ検出手段と、
このスリップ検出手段により検出されたスリップ量が所定レベルを超えたか否かを判定する判定手段と、
前記所定レベルを超えた場合は第１の処理を実行し、前記所定レベルを超えた回数が予め設定した回数を超えた場合には、前記第１の処理とは異なる第２の処理を実行する処理実行手段とを備えたことを特徴とするものである。
【０００９】
この構成によるフィルム画像読取装置の作用・効果は、以下の通りである。写真フィルムを搬送は搬送ローラにより行われ、この搬送ローラと写真フィルムの間に生じる搬送スリップを検出するスリップ検出手段を備えている。判定手段は、このスリップ検出手段により検出されるスリップ量が所定レベルを超えたか否かを判定する機能を有する。そして、処理実行手段は、スリップ量が所定レベルを超えた場合は第１の処理を実行し、所定レベルを超えた回数が予め設定した回数を超えた場合は、第２の処理を実行する。例えば、所定レベルを超えた場合は、最初は単なる警告にとどめ、所定レベルを超える回数が予め設定した回数を超えると、フィルムの搬送を停止させるようにする。したがって、所定レベルのスリップ量が検出された場合でも直ちにフィルムを停止させる処理を行う必要がなく、オペレータにメンテナンスを促すように作用させることができる。その結果、写真フィルムと搬送ローラの間に生じる搬送スリップを検出するにあたり、不意に画像読み取りの停止をさせることのないフィルム画像読取装置を提供することができる。
【００１０】
本発明の好適な実施形態として、前記第１の処理は、警告表示手段による警告表示であり、前記第２の処理は写真フィルムの搬送停止であるものがあげられる。
【００１１】
一例として既に述べたように、第１の処理としては、直ちに写真フィルムの停止を行うのではなく、警告表示手段による警告表示を行うことが好ましい。例えば、モニターへの表示、ＬＥＤ等による視覚的表示、音声、ブザー等による聴覚的表示があげられる。第２の処理として、写真フィルムの停止を行うことができる。したがって、第１レベルとしては、画像読み取りの精度に支障がない程度のスリップ量になるように設定をしておく。
【００１２】
本発明の別の好適な実施形態として、前記スリップ検出手段は、パーフォレーション検出センサーにより検出される写真フィルムのパーフォレーション数と、搬送ローラを駆動する駆動モータの駆動パルス数に基づいて前記搬送スリップを検出するものがあげられる。
【００１３】
写真フィルムには、パーフォレーション（孔）が形成されているので、この動きを検出することで写真フィルムの搬送状態（搬送量）を検出することができる。搬送ローラを駆動する駆動モータとして、例えば、パルスモータを用いれば、そのパルスモータに供給される駆動パルスのパルス数により搬送ローラの搬送状態（搬送量）を検出することができる。したがって、パーフォレーション数と駆動パルス数とに基づいて、搬送スリップの検出を行うことができる。
【００１４】
上記課題を解決するため本発明に係るフィルム搬送装置は、
写真フィルムを搬送ローラにより搬送させるフィルム搬送装置であって、
写真フィルムと前記搬送ローラの間に生じる搬送スリップを検出するスリップ検出手段と、
このスリップ検出手段により検出されたスリップ量が第１レベル又は第１レベルよりもスリップ量が大きく設定された第２レベルを超えたか否かを判定する判定手段と、
前記第１レベルを超えた場合は第１の処理を実行し、前記第２レベルを超えた場合は、前記第１の処理とは異なる第２の処理を実行する処理実行手段とを備えたことを特徴とするものである。
【００１５】
上記課題を解決するため本発明に係る別のフィルム搬送装置は、
写真フィルムを搬送ローラにより搬送させるフィルム搬送装置であって、
写真フィルムと前記搬送ローラの間に生じる搬送スリップを検出するスリップ検出手段と、
このスリップ検出手段により検出されたスリップ量が所定レベルを超えたか否かを判定する判定手段と、
前記所定レベルを超えた場合は第１の処理を実行し、前記所定レベルを超えた回数が予め設定した回数を超えた場合には、前記第１の処理とは異なる第２の処理を実行する処理実行手段とを備えたことを特徴とするものである。
【００１６】
既にコマ画像を読み取るフィルム画像読取装置について、本発明の作用・効果を説明してきたが、写真フィルムの送り量の精度が必要なフィルム搬送装置にも適用することができる。例えば、現像済みネガフィルムをコマ送りしながら焼付露光位置に位置決めするための装置が例としてあげられる。
【発明を実施するための最良の形態】
【００１７】
本発明に係るフィルム画像読取装置の好適な実施形態を図面を用いて説明する。 図１は、フィルム画像読取装置が用いられている写真処理システムの構成を示す模式図である。
＜写真処理システムの構成＞
写真処理システムは、スキャナーＡ（フィルム画像読取装置を構成する）とプリンタプロセッサーＢとから構成される。スキャナーＡは、現像済みネガフィルム（写真フィルム）に形成されているコマ画像を読み取りデジタルデータ化する機能を有する。プリンタプロセッサーＢは、スキャナーＡにより読み取られた画像データに基づいて、写真感光材料であるペーパーに画像を焼付露光し写真プリントを作成する。
【００１８】
画像読み取り対象であるネガフィルムＦは、フィルム搬送ユニットであるネガキャリア１にセットされる。ネガキャリア１には、照射光を通過させるための開口部が設けられている。ネガキャリア１には、ネガフィルムＦを搬送させるために搬送ローラ２４が搬送経路に沿って設けられている。ネガキャリア１の詳細は後述する。
【００１９】
画像読み取り用光源として、ハロゲンランプ２が設けられている。調光フィルター３は、ハロゲンランプ２から照射される光の色バランスを調整する。調光フィルター３は、ハロゲンランプ２の下方に設けられる。調光フィルター３の下方には、拡散板４が設けられ、照射される光を均一な状態にする。拡散板４は、光路中に挿入されている状態である。ミラートンネル６は、調光フィルター３及び拡散板４を通過した光を均一に混色する機能を有する。
【００２０】
ネガキャリア１の下方には、結像レンズ７が設けられており、ネガフィルムのコマ画像をＣＣＤの素子上に結像させる機能を有する。ミラー８は、可視光を図１の右側に反射させる。ＣＣＤラインセンサー９（画像読取手段）は、可視光によるネガフィルムの透過画像データを読み取るために設けられる。取得された画像データは、画像出力部１０を介して画像処理装置１１へと送信される。
【００２１】
次に、プリンタプロセッサーＢの構成を説明する。ペーパーマガジン１２には、写真感光材料であるペーパーＰがロールの形態で収容されている。ペーパーカッター１３は、ペーパーマガジン１２から引き出されたペーパーＰをプリントサイズに切断する。露光エンジン１４は、画像処理装置１１から送られてくる画像データに基づいて、ペーパーＰの乳剤面に画像を焼付露光する。露光エンジン１４としては、例えば、レーザーエンジン、ＰＬＺＴエンジン等がある。搬送経路に沿って、多数の搬送ローラ１５が配置されており、ペーパーＰは搬送ローラ１５により搬送される。現像処理部１６は、画像が焼付露光されたペーパーＰの現像処理を行う。現像処理が行われたペーパーＰは、乾燥処理が施され、ペーパー排出部１７から仕上がりの写真プリントが排出される。
【００２２】
写真処理システムの全体を制御するコントローラ３０を備えている。画像処理装置１１において処理された画像データは、コントローラ３０の指令に基づき、露光エンジン１４に転送される。コントローラ３０には、モニター３１とキーボード３２が接続されている。モニター３１には、スキャナーＡにより読み取られた画像がモニター画面に表示される。オペレータは、この画面を見ながら処理に必要な種々の作業を行う。キーボード３２やその他のマウス等の入力手段により、写真処理に必要なデータの入力や、各種の指令を与える。
【００２３】
＜ネガキャリアの構成＞
図２は、ネガキャリア１の内部構成を示す斜視図である。図３は、搬送経路に沿った縦断面図及び制御ブロック図である。ネガキャリア１は、下ケース２０と上ケース２１を備え、開閉可能に構成されている。下ケース２０には、ネガフィルムを搬送させるための下側搬送経路２２が形成され、上ケースにも、ネガフィルムを搬送させるための上側搬送経路２３が形成される。搬送経路に沿って、ネガフィルムを搬送するための搬送機構が設けられており、下ケース側に配置される駆動ローラ２４と、上ケース側に配置される圧着ローラ２５を備えている。駆動ローラ２４と圧着ローラ２５（搬送ローラ対）によりネガフィルムを挟持した状態で搬送する。駆動ローラ２４は、ベルト２７を介して駆動モータ２６により駆動される。
【００２４】
ネガフィルムの画像を読み取るために、下ケース２０と上ケース２１に夫々スリット状の開口部２０ａ，２１ａが形成されている。また、搬送経路に沿って各種センサーが設けられている。搬送経路の一番上流側は、フィルム挿入口が形成され、現像済みのネガフィルムを挿入する。フィルム挿入口の近傍にフィルム先端検出センサー４０があり、フィルムの挿入を検出し、駆動モータ２６を駆動させる。パーフォレーション検出センサー４１は、ネガフィルムに設けられているパーフォレーション（孔）を検出する。
【００２５】
ネガフィルムに形成されているコマ画像を読み取る場合、ネガフィルムを搬送ローラ２４と圧着ローラ２５で挟持して一定速度で搬送しつつ、ＣＣＤラインセンサー９によりコマ画像を走査しながら読み取りデジタルデータ化する。ＣＣＤラインセンサー９のライン方向が主走査方向であり、ネガフィルムの搬送方向が副走査方向に相当する。かかる走査読み取りを精度よく行うためには、ネガフィルムの搬送速度にムラが生じないようにしなければならない。そのため、搬送ローラ対によりネガフィルムを搬送する場合に、ネガフィルムと搬送ローラ対の間に、極力スリップ（滑り）が生じないようにする必要がある。しかしながら、搬送ローラ対のローラ表面は使用しているうちに次第に汚れが生じてくるため、この汚れに起因してネガフィルムの搬送にスリップが発生しやすくなる。そこで、ネガフィルムと搬送ローラ対の間に生じる搬送スリップを検出し、スリップ量が大きくなると警告表示を行ったり駆動モータ２６を停止したりする処理を行う。そのための制御機構について説明する。
【００２６】
モータ駆動部５０（モータ駆動回路）は、駆動モータ２６を駆動する機能を有しており、パルスモータである駆動モータ２６に駆動パルスを供給するための駆動パルス生成部５０ａを備えている。スリップ検出手段５１は、パーフォレーション検出センサー４１からのパーフォレーション信号と、駆動パルス生成部５０ａからの駆動パルス信号に基づいてスリップ量を検出する。そのためカウント手段５１ａを備え、パーフォレーション数とこれに対応する駆動パルス数をカウントする機能を備える。判定手段５２は、スリップ検出手段５１により検出されるスリップ量に基づいて、処理を実行すべきか否かを判定する。レベル設定部５３は、判定手段５２が判定を行う場合の判定基準があらかじめ設定されている。判定基準として、第１レベルと第２レベルの少なくとも２段階で設定されている。レベル入力部５４は、レベル設定部５３に設定されているレベルの内容を入力することができる。すなわち、 オペレータや写真店の都合にあわせてレベル設定することができる。
【００２７】
第１レベルとして設定されるスリップ量は、画像読み取りに支障がないレベルの量が設定される。第２レベルとして設定されるスリップ量は、第１レベルとして設定されているスリップ量よりも大きなスリップ量が設定される。
【００２８】
処理実行手段５５は、判定手段５２の判定結果に基づいて処理を実行する。具体的には、スリップ量が第１レベルを超えているが第２レベル未満であれば、モニター３１に搬送ローラに汚れが生じてきていることをモニター３１（警告表示手段に相当）に表示（警告表示に相当）に表示してオペレータに知らせる。この処理は、第１の処理に相当する。また、スリップ量が第２レベルを超えたと判定された場合は、駆動モータ２６を停止させる（第２の処理に相当）ようにモータ駆動部５０に対して指令信号を出す。
【００２９】
スリップ検出手段５１と判定手段５２と処理実行手段５５の機能については、ソフトウェアとハードウェアのいずれで構成してもよい。レベル設定部５３は、適宜の記憶装置により構成することができる。レベル入力部５４は、モニター３１での入力画面やキーボード３２、マウス等のデバイスにより構成できる。
【００３０】
＜スリップ量判定基準＞
次に、図３に示した制御機構による制御内容について説明する。図４は、コマ画像が形成されたネガフィルムの形状を示す。ここに示されるネガフィルムＦは、いわゆる１３５タイプと呼ばれるものであり、ネガフィルムＦの幅方向両側にパーフォレーションＰＦ（孔）が所定ピッチで形成されている。またコマ画像Ｇも所定ピッチ（８パーフォレーション毎）で形成されている。図５は、パーフォレーション信号と駆動パルス信号の関係を示す図である。この図からも分かるように、パーフォレーション信号よりも駆動パルス信号の方が周期が短くなっている。この関係を利用して、１パーフォレーション（ＰＦ）分だけネガフィルムが搬送された場合の駆動パルス数を算出する。この駆動パルス数の平均値をＡＶで表わす。すなわち、 
ＡＶ＝（Ｎ1 ＋Ｎ2 ＋Ｎ3 ＋・・・＋Ｎn ）／ｎ
Ｎ1 とは、図４，５に示すように、ある（１番目の）パーフォレーションから次の（２番目の）パーフォレーションまでの１ＰＦの間に生成された駆動パルス数である。Ｎ2 は、２番目から３番目のパーフォレーションまでの１ＰＦの間に生成された駆動パルス数である。以下、ｎ番目のパーフォレーションまで同様であり、そのトータルをｎで割る。すなわち、 ｎ個のＰＦ間に生成された駆動パルス数の数をｎで割るものであり、ＡＶは１ＰＦあたりに生成された駆動パルス数の平均値となる。
【００３１】
次に、判定手段５２で判定する場合の基準（しきい値）について説明する。しきい値をＳで表わし、第１レベルのしきい値をＳ1 で表わし、第２レベルのしきい値をＳ2 で表わす。
【００３２】
Ｓ1 ＝８×ＡＶ0 ＋（８×ＡＶ0 ×０．０２）＝８．１６×ＡＶ0 
Ｓ2 ＝８×ＡＶ0 ＋（８×ＡＶ0 ×０．０５）＝８．４０×ＡＶ0 
ＡＶ0 に８を掛けているのは、コマ画像が８ＰＦピッチで形成されていることによる。すなわち、 第１レベルとして２％までの搬送スリップを許容し、第２レベルとして５％までの搬送スリップを許容する。全くスリップがないとした場合、パーフォレーションピッチＬ＝４．７５ｍｍであり、この距離に対応する駆動パルス数ＡＶ0 も一義的に定まる。したがって、上記計算式に基づいて予め２通りのレベルを設定しておくことができる。実際のネガフィルム搬送において検出された１ＰＦあたりの駆動パルス数をＡＶとして、
Ｓ1 ＜８．１６×ＡＶ≦Ｓ2 
であれば、モニター３１に警告表示を行い、オペレータにメンテナンスのメッセージを出す（第１の処理）。オペレータは、そのネガフィルムについての画像読み取りが終了した後、駆動ローラ２４や圧着ローラ２５の清掃等を行うことができる。なお、第１の処理としては、モニター３１ではなく、ＬＥＤによる視覚表示や、ブザーによる聴覚表示を用いても良い。また、これらの表示とモニターによる表示を適宜組み合わせてもよい。
【００３３】
次に、ネガフィルム搬送において検出された１ＰＦあたりの駆動パルス数をＡＶとして、
Ｓ2 ＜８．４０×ＡＶ
であれば、ネガフィルムの搬送を停止させるべくモータ駆動部５０に指令信号を出す（第２の処理）。これにより、ネガフィルムのスキャニングは中断される。また、駆動モータ２６の停止とあわせて、モニター３１へのメッセージの表示や、ＬＥＤ、ブザーによる警告表示をあわせて行うことが好ましい。この場合、モニター３１に表示されるメッセージや、ＬＥＤやブザーによる表示形態は、第１の処理の場合とは、異なる態様で行うことが好ましい。これにより、オペレータは、ネガフィルムの画像読み取りが中断されたことを知り、駆動モータ２４や圧着ローラ２５の清掃等を行うようにする。このように２段階の処理を行うようにしているので、第１の処理としてメンテナンスを促すメッセージが出たにもかかわらず、メンテナンスを行わずに放置したとしても、スリップ量が第２レベルを超えてしまった場合は、ネガフィルムのスキャニングを停止させるので、強制的にメンテナンスを行わせるようにすることができる。
【００３４】
＜作動フローチャート＞
次に、ネガフィルムのスリップ量の監視を行う場合の処理手順を図６のフローチャートにより説明する。まず、ネガキャリア１にフィルムを挿入する（＃１）。先端検出センサー４０によりフィルム先端を検出すると、駆動モータ２６が起動され、ネガフィルムの搬送が開始される（＃２）。次に、スリップ検出手段５１と判定手段５２の機能に基づいて、スリップ量が第１レベルを超えたか否かを判定する（＃３）。第１レベルを超えていなければ、スリップ量については問題ないので、フィルム搬送及びスキャニングを継続させる。第１レベルを超えた場合、第２レベルも超えたか否かを判定する（＃４）。第２レベルを超えていない場合は、モニター３１に警告表示を行う（＃５）。ただし、フィルム搬送とスキャニングは継続して行うことができる。また、第２レベルを超えていた場合は、フィルムを停止させる（＃６）。
【００３５】
なお、スリップ量の監視を行うタイミングであるが、これは適宜行うことができる。例えば、ネガフィルムの搬送を行っている最中は、常時監視するようにすることができる。また、所定時間間隔ごとに行うことができる。また、ネガフィルムの搬送を開始した直後や、スキャニングが終了した直後等に行うことができる。
【００３６】
＜別実施形態１＞
次に、第２実施形態に係るフィルム画像読取装置の構成を説明する。図３ではレベル設定部５３には、第１レベルと第２レベルの２段階のレベル設定がされているが、これを１つとしてもよい。その場合の作動フローチャートを図７により説明する。
【００３７】
図７において、ステップ＃１１，１２は先ほどと同じである。ステップ＃１３において、所定レベルを超えたか否かを判定する（＃１３）。所定レベルは、レベル設定部５３に設定された、スリップ量についてのしきい値である。所定レベルを超えていなければ、フィルム搬送を続けることができる。所定レベルを超えた場合、その超えた回数が所定回数を超えたか否かを判定する（＃１４）。所定回数として、例えば、５回を設定することができ、これはレベル設定部に設定される。所定レベルを超えた回数が５回以下であれば、ステップ＃１５でモニターに警告表示を行う。この点は、図６と同じである。そして、所定レベルを超えた回数が６回となれば、フィルムを停止させる（＃１６）。これは、ひんぱんに所定レベルをこえるようなスリップ量が検出される場合は、メンテナンスをした方が好ましいと考えられるからである。なお、所定回数については、適宜設定することができる。また、図６に示す手順と図７に示す手順を組み合わせても良い。
【００３８】
＜別実施形態２＞
（１）図３に示す構成では、第１レベルと第２レベルの２通りのレベルが設定されているが、更に第３レベルを設定し、スリップ量の大きさに応じて段階的に警告表示を行うようにしても良い。
（２）本実施形態では、１３５タイプのネガフィルムを説明したが、ＡＰＳのネガフィルムやその他の写真フィルムについても同様に行うことができる。
（３）本実施形態では、パーフォレーション数と駆動パルス数に基づいてスリップ量を検出しているが、駆動パルス数に替えて駆動ローラに連動するエンコーダからの出力パルス数に基づいて検出するようにしても良い。
（４）本実施形態では、スキャナー（フィルム画像読取装置）について説明したが、ネガフィルムをコマ送りして焼付露光位置に位置決めし、コマ画像を写真感光材料に焼付露光させるためのフィルム搬送装置や、その他の送り量の精度が必要とされるフィルム搬送装置にも本発明の構成を適用することができる。
【図面の簡単な説明】
【００３９】
【図１】フィルム画像読取装置が用いられている写真処理システムの構成を示す模式図
【図２】ネガキャリアの内部構成を示す斜視図
【図３】ネガキャリアの搬送経路に沿った縦断面図
【図４】ネガフィルムの形状を示す図
【図５】パーフォレーション信号と駆動パルス信号の関係を示す図
【図６】作動フローチャート（第１実施形態）
【図７】作動フローチャート（第２実施形態）
【符号の説明】
【００４０】
１      ネガキャリア
２４    駆動ローラ
２５    圧着ローラ
２６    駆動モータ
３１    モニター
４１    パーフォレーション検出センサー
５０    モータ駆動部
５１    スリップ検出手段
５２    判定手段
５３    レベル設定部
５４    レベル入力部
５５    処理実行手段
【図１】
2005051537.tif 000003
【図２】
2005051537.tif 000004
【図３】
2005051537.tif 000005
【図４】
2005051537.tif 000006
【図５】
2005051537.tif 000007
【図６】
2005051537.tif 000008
【図７】
2005051537.tif 000009